(57)【要約】【課題】印刷を実行する印刷装置のＵＩの有無に拘わらず、記憶されている印刷ジョブを選択的に印刷する。【解決手段】印刷ジョブのジョブオーナ名を印刷要求者を識別するユーザＩＤに所定の文字列が付加された文字列にして、クライアントＰＣ１４からプリントサーバ１２に送信し、蓄積させる。ユーザＩＤに付加される文字列は印刷区分（通常印刷、優先印刷、秘密印刷など）に応じて異ならせる。各印刷区分はプリントサーバ１２に設定されている複数のＵＲＬに対応している。ユーザは、プリンタ１６で印刷ジョブを印刷させるときには、認証装置１８でユーザＩＤを入力すると共に、プリントサーバ１２のＵＲＬを指定する。認証装置１８はユーザＩＤを該指定されたＵＲＬを送信先アドレスとしてプリントサーバ１２に送信する。プリントサーバ１２は、ＵＲＬ毎にユーザＩＤに所定の文字列を付加した検索キーで印刷ジョブを検索してプリンタ１６に送信する。【選択図】図１
2009070182.tif 000002
【特許請求の範囲】
【請求項１】
情報端末から印刷要求者を識別する識別情報を含む文字列からなる属性情報が付与された印刷ジョブを受信し、印刷装置に対応して設けられた認証装置から前記識別情報及び前記識別情報に付加すべき文字列を特定するための特定情報を受信する受信手段と、
前記受信手段で印刷ジョブが受信された場合に、該受信された印刷ジョブを記憶するための記憶手段と、
前記受信手段で前記識別情報及び前記特定情報が受信された場合に、該受信された特定情報で特定された文字列を該受信された識別情報に付加した文字列と前記記憶手段に記憶された印刷ジョブの属性情報とを比較し、前記記憶手段から該当する印刷ジョブを選択して読み出す読出手段と、
前記読出手段で読み出された印刷ジョブが前記印刷装置で印刷されるように制御する制御手段と、
を含む印刷制御装置。
【請求項２】
請求項１に記載の印刷制御装置と、
前記識別情報を入力するための入力手段、前記特定情報を指定するための指定手段、および前記入力された識別情報と前記指定された特定情報とを前記印刷制御装置に送信する送信手段、を有する認証装置と、
を備えた印刷システム。
【請求項３】
請求項１に記載の印刷制御装置と、
互いに異なる前記特定情報が予め設定された複数の認証部であって、前記識別情報を入力するための入力手段、および前記入力された識別情報と前記予め設定された特定情報とを前記印刷制御装置に送信する送信手段を有する複数の認証部を備えた認証装置と、
を備えた印刷システム。
【請求項４】
前記認証装置は、複数の印刷装置の各々に対応して複数設けられ、
前記認証装置の送信手段は、該認証装置に対応する印刷装置を特定する印刷装置情報を前記識別情報及び前記特定情報と共に送信し、
前記印刷制御装置の前記受信手段は、更に、前記認証装置から、前記識別情報及び前記特定情報と共に前記印刷装置情報を受信し、
前記制御手段は、前記読出手段で読み出された印刷ジョブが前記印刷装置情報で特定された印刷装置で印刷されるように制御する
請求項２または請求項３に記載の印刷システム。
【請求項５】
印刷要求者の要求に応じて印刷要求者を識別する識別情報を含む文字列からなる属性情報が付与された印刷ジョブを生成して、前記印刷制御装置に送信することが可能な少なくとも１つの情報端末を更に備えた
請求項２〜請求項４のいずれか１項記載の印刷システム。
【請求項６】
印刷要求者を識別する識別情報を含む文字列からなる属性情報が付与された印刷ジョブを記憶するための記憶手段を備えたコンピュータを、
情報端末から前記印刷ジョブを受信した場合に、該受信した印刷ジョブを前記記憶手段に記憶する記憶処理手段、
印刷装置に対応して設けられた認証装置から前記識別情報及び前記識別情報に付加すべき文字列を特定するための特定情報を受信した場合に、該受信した特定情報で特定された文字列を該受信された識別情報に付加した文字列と前記記憶手段に記憶された印刷ジョブの属性情報とを比較し、前記記憶手段から該当する印刷ジョブを選択して読み出す読出手段、および
前記読出手段で読み出された印刷ジョブが前記印刷装置で印刷されるように制御する制御手段、
として機能させるためのプログラム。
【発明の詳細な説明】
【技術分野】
【０００１】
本発明は、印刷制御装置、印刷システムおよびプログラムに関する。
【背景技術】
【０００２】
近年、ＬＡＮ（Local Area Network）等のネットワークを介してプリンタ、ＰＣ（Personal Computer）等の各種端末装置が接続され、複数のＰＣがプリンタを共用して各種情報を印刷するシステムが普及している。例えば、ＰＣで印刷データを作成し、これをプリンタにより印刷する場合には、ユーザはネットワークに接続されたプリンタを指定して、そのプリンタに該印刷データを印刷ジョブとして送信して印刷出力している。印刷ジョブを出力するプリンタは、多数のＰＣで共用されており、ＰＣと離れた場所にプリンタが設置されることも多い。そのため、プリンタで印刷された印刷物が、ユーザが該プリンタに取りに行くまで放置されることになり、セキュリティの観点から問題があった。
【０００３】
そこで、ユーザが印刷ジョブを送信するとすぐに印刷されるのではなく、プリンタに接続されたサーバ等で該ユーザがＰＣから送信した印刷ジョブを一旦蓄積しておき、プリンタ（或いはプリンタに接続された認証装置）でユーザが認証操作した後に、サーバからそのプリンタ宛にそのユーザの印刷ジョブを送信して出力させる、という技術が提案されている（例えば、特許文献１参照。）。
【０００４】
また、印刷システムでは、タッチパネルディスプレイ等の高機能のＵＩが備えられたプリンタや、ＵＩが備えられていない或いはＵＩ画面が小さな旧式のプリンタ等、様々なプリンタが混在して利用される場合も多い。そのうち、大型の画面で高機能なＵＩが搭載されたプリンタについては、プリンタに送信されキューにたまっている印刷ジョブに対して変更を指示する方法として、プリンタのユーザインタフェース（ＵＩ）にジョブの一覧を表示し、ＵＩ操作で優先度を変更して急ぎの印刷を可能する技術が知られている（例えば、特許文献２参照。）。なお、ＵＩが備えられていない或いはＵＩ画面が小さな旧式のプリンタついては、上記のようにユーザが認証操作した後に印刷するシステムであっても、ＵＩ操作で選択的に印刷ジョブを印刷することはできない。
【０００５】
なお、大型の画面で高機能なＵＩが搭載されているプリンタであっても、大量に印刷ジョブが保存されていた場合には、必要な印刷ジョブをＵＩ操作で選択して出力するのは煩雑となる。
【特許文献１】特開２００１−２２５４７号公報
【特許文献２】特開２００４−２４２１２０号公報
【発明の開示】
【発明が解決しようとする課題】
【０００６】
本発明は、印刷要求者から送信された印刷ジョブを該印刷要求者を識別する識別情報が入力されたときに印刷装置で印刷するために一旦記憶手段に記憶しておくシステムにおいて、印刷を実行する印刷装置のＵＩの有無に拘わらず、記憶されている印刷ジョブを選択的に印刷することができる印刷制御装置、該印刷制御装置を含む印刷システム、およびプログラムを提供することを目的とする。
【課題を解決するための手段】
【０００７】
請求項１の発明の印刷制御装置は、情報端末から印刷要求者を識別する識別情報を含む文字列からなる属性情報が付与された印刷ジョブを受信し、印刷装置に対応して設けられた認証装置から前記識別情報及び前記識別情報に付加すべき文字列を特定するための特定情報を受信する受信手段と、前記受信手段で印刷ジョブが受信された場合に、該受信された印刷ジョブを記憶するための記憶手段と、前記受信手段で前記識別情報及び前記特定情報が受信された場合に、該受信された特定情報で特定された文字列を該受信された識別情報に付加した文字列と前記記憶手段に記憶された印刷ジョブの属性情報とを比較し、前記記憶手段から該当する印刷ジョブを選択して読み出す読出手段と、前記読出手段で読み出された印刷ジョブが前記印刷装置で印刷されるように制御する制御手段と、を含んでいる。
【０００８】
請求項２の発明の印刷システムは、請求項１に記載の印刷制御装置と、前記識別情報を入力するための入力手段、前記特定情報を指定するための指定手段、および前記入力された識別情報と前記指定された特定情報とを前記印刷制御装置に送信する送信手段、を有する認証装置と、を備えている。
【０００９】
請求項３の発明の印刷システムは、請求項１に記載の印刷制御装置と、互いに異なる前記特定情報が予め設定された複数の認証部であって、前記識別情報を入力するための入力手段、および前記入力された識別情報と前記予め設定された特定情報とを前記印刷制御装置に送信する送信手段を有する複数の認証部を備えた認証装置と、を備えている。
【００１０】
請求項４の発明は、請求項２または請求項３に記載の印刷システムにおいて、前記認証装置は、複数の印刷装置の各々に対応して複数設けられ、前記認証装置の送信手段は、該認証装置に対応する印刷装置を特定する印刷装置情報を前記識別情報及び前記特定情報と共に送信し、前記印刷制御装置の前記受信手段は、更に、前記認証装置から、前記識別情報及び前記特定情報と共に前記印刷装置情報を受信し、前記制御手段は、前記読出手段で読み出された印刷ジョブが前記印刷装置情報で特定された印刷装置で印刷されるように制御する。
【００１１】
請求項５の発明は、請求項２〜請求項４のいずれか１項記載の印刷システムにおいて、印刷要求者の要求に応じて印刷要求者を識別する識別情報を含む文字列からなる属性情報が付与された印刷ジョブを生成して、前記印刷制御装置に送信することが可能な少なくとも１つの情報端末を更に備えている。
【００１２】
請求項６の発明は、印刷要求者を識別する識別情報を含む文字列からなる属性情報が付与された印刷ジョブを記憶するための記憶手段を備えたコンピュータを、情報端末から前記印刷ジョブを受信した場合に、該受信した印刷ジョブを前記記憶手段に記憶する記憶処理手段、印刷装置に対応して設けられた認証装置から前記識別情報及び前記識別情報に付加すべき文字列を特定するための特定情報を受信した場合に、該受信した特定情報で特定された文字列を該受信された識別情報に付加した文字列と前記記憶手段に記憶された印刷ジョブの属性情報とを比較し、前記記憶手段から該当する印刷ジョブを選択して読み出す読出手段、および前記読出手段で読み出された印刷ジョブが前記印刷装置で印刷されるように制御する制御手段、として機能させるためのプログラムである。
【発明の効果】
【００１３】
請求項１の発明によれば、印刷を実行する印刷装置のＵＩの有無に拘わらず、記憶されている印刷ジョブを選択的に印刷することができる。
【００１４】
請求項２の発明によれば、１台の認証装置で、特定情報を指定して識別情報と共に印刷制御装置に送信できる。
【００１５】
請求項３の発明によれば、簡易な構成の認証装置で特定情報を指定して、識別情報と特定情報とを印刷制御装置に送信できる。
【００１６】
請求項４の発明によれば、複数の印刷装置が設置されている場合でも、所望の印刷装置で所望の印刷ジョブを選択して印刷できる。
【００１７】
請求項５の発明によれば、印刷要求者の要求に応じた印刷ジョブを生成できる。
【００１８】
請求項６の発明によれば、印刷を実行する印刷装置のＵＩの有無に拘わらず、記憶されている印刷ジョブを選択的に印刷することができる。
【発明を実施するための最良の形態】
【００１９】
以下、図面を参照して、本発明の実施の形態を詳細に説明する。
【００２０】
［第１の実施の形態］
本実施の形態では、ユーザが、優先度も機密性も高くない（すなわち、印刷を急ぐ必要もなく、印刷物をそのままプリンタに放置しておいてもよいような）印刷ジョブを印刷する「通常印刷」、優先度の高い印刷ジョブを印刷する「優先印刷」、機密性の高い印刷ジョブを印刷する「秘密印刷」の３つの区分で印刷ジョブを指示する場合を例に挙げて説明する。
【００２１】
図１は、本実施の形態に係る印刷システム１０の概略構成図である。
【００２２】
この印刷システム１０は、プリントサーバ１２、クライアントＰＣ（Personal Computer）１４、プリンタ１６、及び認証装置１８が各々ＬＡＮ（Local Area Network）等のネットワーク２０に接続されて構成されている。
【００２３】
クライアントＰＣ１４では、印刷ジョブが生成され、プリントサーバ１２に送信される。より具体的には、クライアントＰＣ１４のユーザが、何らかの文書データ（印刷データ）を印刷指定すると、クライアントＰＣ１４にインストールされているプリンタドライバが起動する。プリンタドライバは、該印刷指定された印刷データから印刷ジョブを生成し、プリントサーバ１２に送信する。
【００２４】
図２は、クライアントＰＣ１４の機能的な構成を示すブロック図である。クライアントＰＣ１４は、印刷データ生成部３２、印刷ジョブ生成部３４、通信部３６、表示部３８、及び入力部４０を備えている。
【００２５】
表示部３８は、ディスプレイ等により構成され、印刷データ生成部３２や印刷制御部３４の処理結果や各種設定画面等をユーザに表示する。入力部４０は、マウスやキーボード等により構成され、ユーザが各種情報を入力したり、指定したりする。
【００２６】
印刷データ生成部３２は、ワープロ文書等の印刷データを生成する。印刷データ生成部３２は、例えば、ワープロソフトや描画ソフト等のアプリケーションソフト等に相当する機能である。
【００２７】
印刷ジョブ生成部３４は、ユーザが入力部４０を操作することにより印刷指定した印刷データから、印刷ジョブを生成する。印刷ジョブ生成部３４は、プリンタ１６に対する印刷制御を担うプリンタドライバに相当する構成要素である。
【００２８】
通信部３６は、印刷ジョブ生成部３４で生成された印刷ジョブをネットワーク２０を介してプリントサーバ１２に送信する通信インタフェースである。
【００２９】
ここで、印刷ジョブ生成部３４の機能について更に詳細に説明する。
【００３０】
印刷ジョブ生成部３４が生成する印刷ジョブは、属性部とデータ部とで構成されている。属性部は、印刷ジョブの名称、印刷ジョブのオーナ名（印刷ジョブの印刷要求者を特定するための情報）の情報からなる。なお、以下では、「印刷ジョブのオーナ名」を単に「ジョブオーナ名」と呼称する。
【００３１】
印刷ジョブ生成部３４は、属性部を以下のように生成する。「印刷ジョブの名称」については、クライアントＰＣ１４でユーザが印刷指定した印刷データのファイル名をそのまま用いる。また、「ジョブオーナ名」については、ユーザが入力した文字列を用いる。本実施の形態では、印刷ジョブの生成毎にジョブオーナ名を入力部４０を介してユーザが入力するように印刷ジョブ生成部３４が設定されている。ユーザは、予め定められたルールに従ってジョブオーナ名を入力する。本実施の形態では、優先度や機密度が低い印刷ジョブについては（通常印刷）、ユーザ自身に予め割り当てられているユーザＩＤをジョブオーナ名として入力する。また、優先度が高い印刷ジョブについては（優先印刷）、該ユーザＩＤに「_urg」という文字列を付加した文字列を入力する。また機密度が高い印刷ジョブについては（秘密印刷）、該ユーザＩＤに「_sec」という文字列を付加した文字列を入力する。
【００３２】
また、印刷ジョブ生成部３４は、ユーザにより印刷指定された印刷データをＰＤＬデータに変換して印刷ジョブのデータ部を生成する。印刷ジョブ生成部３４は、生成した属性部とデータ部とを含む印刷ジョブを通信部３６を介してプリントサーバ１２に送信する。なお、このような印刷ジョブの生成・送信は、従来のプリンタドライバで一般的に行なわれる処理である。
【００３３】
なお、クライアントＰＣ１４の印刷データ生成部３２及び印刷ジョブ生成部３４は、ＣＰＵ（Central Processing Unit）、ＲＡＭ（Random Access Memory）、ＲＯＭ（Read Only Memory）等により構成されたコンピュータによりソフトウェア的に実現する。すなわち、ＲＡＭ等のワークメモリを利用して、ＲＯＭ等の記録媒体に記録されたプログラムをＣＰＵが実行することにより実現する。
【００３４】
なお、ＣＰＵが実行するプログラムが記憶される記録媒体は、ＲＯＭに限定されず、例えば、ＣＤ−ＲＯＭやＨＤＤ（ハードディスクドライブ）、ＤＶＤディスク、光磁気ディスク、ＩＣカードなどの可搬型記録媒体や外部に備えられたＨＤＤ等の記憶装置等であってもよく、さらにまた回線を介して接続されたデータベース、或いは他のコンピュータシステム並びにそのデータベースや、更に回線上の伝送媒体であってもよい。
【００３５】
このように、クライアントＰＣ１４は、一般的に普及しているパソコン等の情報端末で構成することができ、特別なプログラムをインストールしたり、特別な機能を組み込む必要はない。
【００３６】
次に認証装置１８について説明する。認証装置１８は、対応するプリンタ１６近傍に設置されている。図３は、認証装置１８の機能的な構成を示すブロック図である。認証装置１８は、カード検知部４２、接続先選択部４４、送信情報生成部４６、及び通信部４８を備えている。
【００３７】
カード検知部４２は、ＩＣカード５０のメモリに記録されているユーザＩＤを読み取る。ユーザは、自身がプリントサーバ１２に送信した印刷ジョブをプリンタ１６で印刷させるときに、ユーザ自身が所持するＩＣカード５０をカード検知部４２に近接させることによって、そのＩＣカード５０のメモリに記録されているユーザＩＤをカード検知部４２に読み取らせる。カード検知部４２は、読み取ったユーザＩＤのデータを送信情報生成部４６に出力する。
【００３８】
接続先選択部４４は、通常印刷ボタン４４ａ、優先印刷ボタン４４ｂ、秘密印刷ボタン４４ｃを備えている。通常印刷ボタン４４ａは、プリントサーバ１２に送信した印刷ジョブのうち優先度・機密性の低い印刷ジョブを印刷する際に押下するボタンである。優先印刷ボタン４４ｂは、プリントサーバ１２に送信した印刷ジョブのうち、優先度の高い印刷ジョブを選択して印刷する際に押下するボタンである。秘密印刷ボタン４４ｃは、プリントサーバ１２に送信した印刷ジョブのうち、機密性の高い印刷ジョブを選択して印刷する際に押下するボタンである。ユーザは、カード検知部４２でユーザＩＤを読み取らせると共に、接続先選択部４４の３つのボタンのうち、いずれかを押下する。通常印刷ボタン４４ａ、優先印刷ボタン４４ｂ、秘密印刷ボタン４４ｃのいずれかが押下されると、該押下されたボタンに対応する信号が送信情報生成部４６に出力される。
【００３９】
送信情報生成部４６は、カード検知部４２からユーザＩＤが入力され、且つ接続先選択部４４から押下されたボタンに対応する信号が入力されると、プリントサーバ１２に対する送信データを生成する。具体的には、カード検知部４２で読み取られたユーザＩＤの情報及び、印刷ジョブの送信先情報（認証装置１８近傍に設置されているプリンタ１６のアドレス或いはプリンタ１６の識別番号など）を含む送信データを生成する。更に、送信情報生成部４６は、接続先選択部４４からの信号に基づいて、該送信データのヘッダに、上記押下されたボタンに対応付けられているプリントサーバ１２の接続先（ＵＲＬ）を送信データの送信先アドレスとして付加する。なお、後述するように、プリントサーバ１２には異なる３つのＵＲＬが設定されている。より詳述すると、通常、ＵＲＬはドメイン名やディレクトリ名を含んで構成されるが、上記３つのＵＲＬのドメイン名は、プリントサーバ１２のＩＰアドレスに対応したドメイン名とし、その下のディレクトリ名を異ならせてプリントサーバ１２における接続先を異ならせる。これら接続先の情報は、予め制御部５４に設けられたメモリに記憶されており、送信情報生成部４６はこれを参照して送信先アドレスを決定する。
【００４０】
なお、以下では、このように送信情報生成部４６により生成された送信データを認証データと呼称する。また、３つのＵＲＬを、ＵＲＬ１、ＵＲＬ２、ＵＲＬ３と呼称して区別して説明する。ＵＲＬ１は、通常印刷ボタン４４ａに対応した接続先であり、ＵＲＬ２は、優先印刷ボタン４４ｂに対応した接続先であり、ＵＲＬ３は、秘密印刷ボタン４４ｃに対応した接続先である。また、ここでは、印刷ジョブの送信先情報を認証データに含めて生成する例について説明したが、ネットワーク上で使用するプリンタ１６が１台の場合には、送信先は常に同じであるため、送信先情報を省略するようにしてもよい。
【００４１】
通信部４８は、ネットワーク２０に接続されており、送信情報生成部４６で生成した認証データをプリントサーバ１２に送信する通信インタフェースである。
【００４２】
次にプリンタ１６について説明する。図４は、プリンタ１６の機能的な構成を示すブロック図である。プリンタ１６は、印刷処理部５２、制御部５４、通信部５６、及び表示部５８を備えている。
【００４３】
制御部５４は、通信部５６で受信された印刷ジョブに基づいて、印刷処理部５２に印刷処理を行なわせたり、メッセージ等を表示するための表示データを生成して表示部５８に出力したりする。
【００４４】
印刷処理部５２は、制御部５４の制御に従って、実際に印刷処理を行なう。
【００４５】
表示部５８は、液晶ディスプレイ等であり、画像や文字を表示する。
【００４６】
通信部５６は、ネットワーク２０に接続されており、プリントサーバ１２から印刷ジョブを受信したり、印刷処理部５２での印刷結果をプリントサーバ１２に送信したりする。
【００４７】
次に、プリントサーバ１２について説明する。図５は、プリントサーバ１２の機能的な構成を示すブロック図である。プリントサーバ１２は、通信部２２、振分制御部２３、第１処理部２４ａ、第２処理部２４ｂ、第３処理部２４ｃ、ジョブ管理部２６、ジョブ格納部２８、及びジョブ送信制御部３０を備えている。
【００４８】
なお、第１処理部２４ａ、第２処理部２４ｂ、及び第３処理部２４ｃはいずれも検索キーを生成する処理を実行するため、以下では、第１処理部２４ａ、第２処理部２４ｂ、及び第３処理部２４ｃを区別せずに説明する場合には、末尾の符号を省略して端に処理部２４と呼称する。
【００４９】
通信部２２は、ネットワーク２０に接続されており、クライアントＰＣ１４から印刷ジョブを受信したり、プリンタ１６に印刷ジョブを送信したり、認証装置１８からユーザＩＤを含む認証データを受信したりする通信インタフェースである。
【００５０】
振分制御部２３は、通信部２２で受信したデータを３つの処理部２４のいずれか、或いはジョブ管理部２６に振り分けて出力する。具体的には、通信部２２で受信したデータが印刷ジョブの場合には、該印刷ジョブがジョブ格納部２８に記憶されるように該印刷ジョブをジョブ管理部２６に出力する。また、通信部２２で受信したデータが認証データの場合には、該認証データのヘッダ部分の送信先アドレス（プリントサーバ１２における接続先ＵＲＬ）を確認し、該送信先アドレスに応じた検索キーが生成されるように、受信した認証データに含まれるユーザＩＤを３つの処理部２４のいずれかに出力する。
【００５１】
ジョブ管理部２６は、印刷ジョブを管理するモジュールであって、振分制御部２３から受け取った印刷ジョブをジョブ格納部２８に格納したり、ジョブ格納部２８に格納された印刷ジョブを検索して読み出したりする。
【００５２】
図６は、ジョブ格納部２８における印刷ジョブの格納状態を示す概念図である。「ジョブＩＤ」は、印刷ジョブをプリントサーバ１２が受信したときに受信順に付与される番号である。その他、印刷ジョブの属性部のデータや、印刷ジョブをプリントサーバ１２が受信した日時（受信日時）が格納されている。
【００５３】
第１処理部２４ａ〜第３処理部２４ｃは、検索キーを生成する。
【００５４】
第１処理部２４ａはＵＲＬ１に対応しており、第２処理部２４ｂはＵＲＬ２に対応しており、第３処理部２４ｃはＵＲＬ３に対応している。従って、認証データの送信先アドレスがＵＲＬ１の場合には、ユーザＩＤは第１処理部２４ａに出力され、認証データの送信先アドレスがＵＲＬ２の場合には、ユーザＩＤは第２処理部２４ｂに出力され、認証データの送信先アドレスがＵＲＬ３の場合には、ユーザＩＤは第３処理部２４ｃに出力される。
【００５５】
第１処理部２４ａは、振分制御部２３からユーザＩＤが入力されると、該ユーザＩＤそのままをジョブ管理部２６で用いる検索キーとしてジョブ管理部２６に出力する。
【００５６】
第２処理部２４ｂは、振分制御部２３からユーザＩＤが入力されると、該ユーザＩＤに「_urg」という文字列を付加し、これをジョブ管理部２６で用いる検索キーとしてジョブ管理部２６に出力する。
【００５７】
第３処理部２４ｃは、振分制御部２３からユーザＩＤが入力されると、ユーザＩＤに「_sec」という文字列を付加し、これをジョブ管理部２６で用いる検索キーとしてジョブ管理部２６に出力する。
【００５８】
すなわち、本実施の形態では、認証データのヘッダに含まれる送信先アドレス（接続先のＵＲＬ）は、ユーザＩＤに付加する文字列を特定するための情報であって、検索キーを生成するために必要な情報なのである。
【００５９】
ジョブ管理部２６は、３つの処理部２４のいずれかから検索キーを受け取ると、該検索キーに基づいてジョブ格納部２８を検索する。ジョブ管理部２６は、検索キーに一致するジョブオーナ名を有する印刷ジョブをジョブ格納部２８から読み出して通信部２２に渡す。
【００６０】
ジョブ送信制御部３０は、ジョブ管理部２６により読み出された印刷ジョブを、受信した認証データに含まれる印刷ジョブの送信先情報が示す送信先に送信されるように印刷ジョブの送信先アドレスを該送信先情報に設定して、通信部２２を介して送信する。
【００６１】
なお、使用プリンタが１台の場合には、認証データに送信先情報が含まれていなくても一意に決定されるため、認証データに送信先情報を含めなくてもよい。この場合には、ジョブ送信制御部３０は、該１台のプリンタが常に印刷ジョブの送信先となるようにして印刷ジョブを送信する。
【００６２】
すなわち、プリントサーバ１２は、認証データに付加されたヘッダに含まれる送信先アドレスに応じて、ユーザＩＤに付加されるべき文字列を特定し、受信したユーザＩＤに該特定した文字列を付加した文字列を検索キーとして用いて、印刷ジョブを検索し、該検索された印刷ジョブをプリンタ１６に送信する。
【００６３】
なお、プリントサーバ１２のジョブ格納部２８は、ＨＤＤ等の記憶装置により構成し、振分制御部２３、３つの処理部２４、ジョブ管理部２６、及びジョブ送信部３０は、ＣＰＵ（Central Processing Unit）、ＲＡＭ（Random Access Memory）、ＲＯＭ（Read Only Memory）等により構成されたコンピュータによりソフトウェア的に実現する。すなわち、ＲＡＭ等のワークメモリを利用して、ＲＯＭ或いはＨＤＤ等の記録媒体に記録されたプログラムをＣＰＵが実行することにより実現する。
【００６４】
なお、ＣＰＵが実行するプログラムが記憶される記録媒体は、ＲＯＭやＨＤＤに限定されず、例えば、ＣＤ−ＲＯＭや、ＤＶＤディスク、光磁気ディスク、ＩＣカードなどの可搬型記録媒体や外部に備えられたＨＤＤ等の記憶装置等であってもよく、さらにまた回線を介して接続されたデータベース、或いは他のコンピュータシステム並びにそのデータベースや、更に回線上の伝送媒体であってもよい。
【００６５】
従って、本発明の実施の形態に係るプログラム等を通信媒体により提供することはもちろん、ＣＤ−ＲＯＭ等の記録媒体に格納して提供することも可能である。
【００６６】
以下、本実施の形態の印刷システム１０の作用を説明する。
【００６７】
まず、クライアントＰＣ１４からプリントサーバ１２に対して、印刷ジョブを送信する場合の作用について説明する。
【００６８】
ユーザが、クライアントＰＣ１４の印刷データ生成部３２により印刷データを作成し、印刷を指示すると、プリンタドライバ（印刷ジョブ生成部３４）が起動する。印刷ジョブ生成部３４は、指示された印刷処理の内容を印刷ジョブという単位でプリントサーバ１２に通信部３６を介して転送する。
【００６９】
このとき、印刷ジョブ生成部３４は、ジョブオーナ名を入力するための入力画面（図示省略）を表示部３８に表示させる。ユーザは、表示された入力画面で、前述したように、予め定められたルールに従ってジョブオーナ名を入力する。すなわち、優先度や機密度が低い通常の印刷ジョブの場合には、ユーザ自身に予め割り当てられているユーザＩＤを入力し、優先度が高い印刷ジョブの場合には、ユーザＩＤに「_urg」という文字列を付加した文字列を入力し、機密度が高い印刷ジョブの場合には、ユーザＩＤに「_sec」という文字列を付加した文字列を入力する。
【００７０】
例えば、ユーザＩＤが「Tanaka」であれば、「通常印刷」の場合のジョブオーナ名はは「Tanaka」、「優先印刷」の場合のジョブオーナ名は「Tanaka_urg」となり、「秘密印刷」の場合のジョブオーナ名は「Tanaka_sec」となる。
【００７１】
なお、印刷ジョブ生成毎にジョブオーナ名を入力する場合には、プリンタドライバ（印刷ジョブ生成部３４）を予め次のように設定しておく。
【００７２】
図７は、プリンタドライバの設定画面の一例を示す図である。図７に示す設定画面６０には、「常に同じ認証情報を使用する」を選択するためのラジオボタン６２と、「ジョブ毎に認証の入力画面を表示する」を選択するためのラジオボタン６４が設けられている。
【００７３】
「常に同じ認証情報を使用する」のラジオボタン６２をチェックすると、常に同じＩＤがジョブオーナ名として使用される。また、ジョブオーナ名として使用されるＩＤについては、クライアントＰＣ１４のログイン時に入力されるＩＤ（図７ではログイン時に入力するＩＤが「ログイン名」と表示されている）とするか、或いは入力エリア６６に直接入力したＩＤとするかをコンボボックス６４から選択する。ここで設定したＩＤが常にジョブオーナ名として用いられる。
【００７４】
一方「ジョブ毎に認証の入力画面を表示する」のラジオボタン６８をチェックすると、印刷ジョブ毎に前述の入力画面が表示される。
【００７５】
いずれかのラジオボタンをチェックして必要な場合にはＩＤを入力してからＯＫボタン７０をクリックすると、ユーザの設定が不図示のメモリに記録される。
【００７６】
本実施の形態では、ユーザが印刷ジョブ毎にジョブオーナ名を入力するように設定するため、ラジオボタン６８をチェックして設定しておく。
【００７７】
なお、印刷ジョブ生成毎にジョブオーナ名としてのＩＤを手入力することが煩わしい場合には、以下のようにプリンタドライバのアイコンを複製して印刷区分毎に用意し、各アイコン毎に所望のＩＤを設定し、入力の手間を省くようにしてもよい。この場合の設定方法の具体例について、以下に説明する。ここでは、ログイン時に入力するＩＤは、ユーザのＩＣカード５０のメモリに記録されているユーザＩＤと同一であるとして説明する。
【００７８】
印刷区分毎に用意した各々のアイコンの設定画面（図７）で、ラジオボタン６２をチェックして設定する。
【００７９】
そして、アイコンの印刷区分が「通常印刷」の場合には、ログイン時のユーザＩＤをそのままジョブオーナ名として用いるため、コンボボックス６４の「ログイン名を使用する」の項目を選択する。アイコンの印刷区分が「優先印刷」や「秘密印刷」の場合には、コンボボックス６４の「ＩＤを入力する」の項目を選択し、入力エリア６６に、ユーザＩＤに「_urg」という文字列を付加した文字列、又は、ユーザＩＤに「_sec」という文字列を付加した文字列を入力する。なお、各アイコンには、印刷区分毎にアイコン名を付与する。このように設定された情報は各アイコンに対応付けられて、クライアントＰＣ１４のメモリに記憶される。
【００８０】
図８は、プリンタ設定フォルダ７４に生成されたプリンタドライバの３つのアイコンの具体例を示す図である。アイコン７６は、通常印刷の場合のジョブオーナ名が設定されたアイコンであり、アイコン７８は、優先印刷の場合のジョブオーナ名が設定されたアイコンであり、アイコン８０は、秘密印刷の場合のジョブオーナ名が設定されたアイコンである。それぞれ印刷区分に応じたアイコン名が付与されている。
【００８１】
印刷データをアプリケーション（印刷データ生成部３２）上で印刷指定すると、印刷ダイアログボックスが立ち上がる（図示省略）。該印刷ダイアログボックスには、プリンタを指定するコンボボックスが表示される。このコンボボックスには、上記アイコンの名称（図８に示す例では、「プリント」、「急ぎプリント」、「秘密プリント」）がリスト表示される。ユーザは、コンボボックスからいずれかを選んで印刷要求する。これにより、印刷ジョブ生成部３４は、選択したアイコンで設定されたＩＤでジョブオーナ名の印刷ジョブを生成し、プリントサーバ１２に送信する。
【００８２】
或いは、デスクトップ上等に、上記３つのアイコン７６、７８、８０のシートカットアイコンを作成し、印刷データのファイルを該ショートカットアイコンのいずれかにドラッグアンドドロップして、任意の印刷区分で印刷指定するようにしてもよい。これによっても、上記と同様に、該アイコンに設定されたジョブオーナ名の印刷ジョブが生成され、プリントサーバ１２に送信される。
【００８３】
図９は、プリントサーバ１２が何らかのデータを受信した場合にプリントサーバ１２が実行する処理の流れを示すフローチャートである。
【００８４】
ステップ１００では、振分制御部２３が、通信部２２で受信されたデータが何かを判断する。受信したデータがクライアントＰＣ１４から受信した印刷ジョブであれば、ステップ１１０で、該受信した印刷ジョブをジョブ管理部２６に出力する。これにより、ジョブ格納部２８に印刷ジョブが格納され、図６に示したように、印刷ジョブに関する様々な属性情報と共に管理される。
【００８５】
次に、実際の印刷処理を実行する場合の動作について説明する。
【００８６】
ユーザは、自身のユーザＩＤが記憶されたＩＣカード５０を、実際に印刷処理させたいプリンタ１６の近傍に設置された認証装置１８のカード検知部４２に接近させ、ユーザＩＤを読み取らせる（認証操作）。
【００８７】
更に、該ユーザは、接続先選択部４４の通常印刷ボタン４４ａ、優先印刷ボタン４４ｂ、秘密印刷ボタン４４ｃの３つのボタンのうちいずれかを選択して押下する。
【００８８】
認証装置１８の送信情報生成部４６は、前述したように、カード検知部４２で読み取られたユーザＩＤの情報及び印刷ジョブの送信先情報を含む送信データを生成し、該送信データのヘッダに、接続先選択部４４で押下されたボタンに対応するプリントサーバ１２の接続先（ＵＲＬ）を送信先アドレスとして付加した認証データを生成する。生成された認証データは、認証装置１８の通信部４８を介してプリントサーバ１２に送信される。
【００８９】
例えば、ユーザＩＤが「Tanaka」のユーザが、優先印刷ボタン４４ｂを押下した場合には、ユーザＩＤ「Tanaka」と印刷ジョブの送信先情報とを含む認証データが、プリントサーバ１２のＵＲＬ２を宛先として送信される。
【００９０】
次に、図９を参照して、認証データを受信したプリントサーバ１２の動作について説明する。
【００９１】
ステップ１００では、振分制御部２３が、通信部２２で受信されたデータが何かを判断する。受信したデータが認証装置１８から受信した認証データであれば、ステップ１０２に移行し、振分制御部２３は、該受信した認証データのヘッダの送信先アドレス（接続先ＵＲＬ）を確認する。そして、該送信先アドレスが示すＵＲＬに応じて、認証データに含まれるユーザＩＤを３つの処理部２４のいずれかに出力する。
【００９２】
ステップ１０４では、ユーザＩＤを受け取った処理部２４は、ＵＲＬに対応する検索キーを作成してジョブ管理部２６に出力する。例えば、ユーザＩＤが「Tanaka」で、接続先がＵＲＬ１である場合には、第１処理部２４ａにユーザＩＤが出力されるため、第１処理部２４ａで「Tanaka」が検索キーとして作成され、ジョブ管理部２６に出力される。また、同じユーザＩＤで、接続先がＵＲＬ２である場合には、第２処理部２４ｂにユーザＩＤが出力されるため、第２処理部２４ｂで「Tanaka_urg」が検索キーとして作成され、ジョブ管理部２６に出力される。また、同じユーザＩＤで、接続先がＵＲＬ３である場合には、第３処理部２４ｃにユーザＩＤが出力されるため、第３処理部２４ｃで「Tanaka_sec」が検索キーとして作成され、ジョブ管理部２６に出力される。
【００９３】
ステップ１０６では、検索キーを受け取ったジョブ管理部２６が、該検索キーに一致するジョブオーナ名の印刷ジョブをジョブ格納部２８から検索する。本実施の形態では、完全一致検索を行なう。例えば、図６に示すように印刷ジョブが格納され、検索キーが「Tanaka」の場合には、ジョブＩＤが１２４の印刷ジョブが検索される。同様に、検索キーが「Tanaka_urg」の場合には、ジョブＩＤが１２６の印刷ジョブが検索される。同様に、検索キーが「Tanaka_sec」の場合には、ジョブＩＤが１２８の印刷ジョブが検索される。
【００９４】
ステップ１０８では、ジョブ送信制御部３０が、ジョブ管理部２６が検索して読み出した印刷ジョブに基づいて印刷されるように、該読み出した印刷ジョブの送信先を、受信した認証データに含まれる送信先情報が示す送信先（ここではプリンタ１６）となるように変更して、該印刷ジョブを通信部２２を介して送信する。印刷ジョブを受信したプリンタ１６は、該印刷ジョブに基づいて印刷を実行する。
【００９５】
以上、具体例として、ユーザＩＤが"Tanaka"である場合を説明したが、他のユーザであっても同様の効用が得られることは自明である。
【００９６】
なお、本発明は、上述した実施の形態に限定されるものではなく、特許請求の範囲に記載された発明の範囲内で様々な設計上の変更を行うようにしてもよい。
【００９７】
例えば、上記実施の形態において、３つの印刷区分、３つの接続先を設けた例について説明したが、本発明はこれに限定されず、印刷区分や接続先がいくつであってもよい。また、印刷区分も、「通常印刷」「優先印刷」「秘密印刷」の３種類を設けたが、これに限定されず、例えば、複数段階のセキュリティレベルを設け、各セキュリティレベルに応じた接続先を設けても良い。例えば、３段階のセキュリティレベルを設け、セキュリティレベルの高い順にジョブオーナ名を「Tanaka_A」「Tanaka_AA」「Tanaka_AAA」として、セキュリティレベルでプリントサーバ１２の接続先を切り替える。そして、上記実施の形態のように完全一致検索を行なえば、指定した接続先ＵＲＬごとに特定のセキュリティレベルの印刷ジョブだけが出力される。また、前方一致検索にすると、検索キーが「Tanaka_A」の場合には、ジョブオーナ名が「Tanaka_A」「Tanaka_AA」「Tanaka_AAA」の全ての印刷ジョブが出力される。また、検索キーが「Tanaka_AA」の場合には、ジョブオーナ名が「Tanaka_AA」「Tanaka_AAA」の印刷ジョブは出力されるが、最もセキュリティレベルの高い「Tanaka_A」の印刷ジョブは出力されない。すなわち、このように検索キーを生成して前方一致検索をすれば、ユーザが印刷指定したセキュリティレベルより高いレベルの印刷ジョブは出力されず、ユーザが印刷指定したセキュリティレベル及びそれよりも低いレベルの印刷ジョブが印刷されることになる。
【００９８】
なお、前方一致検索を行なう場合かつユーザを一意に特定できる文字列が可変長となる場合には、ジョブオーナ名及び検索キーとしてユーザＩＤに付加する文字列は、ユーザＩＤに使用されない文字列で構成する。（例えば、ユーザＩＤ「Yanagi」と「Yanagisawa」を区別して用いる場合には、該ユーザＩＤに付加する文字列を「sawa」としない。）
なお、検索方法をユーザが選択できるようにしてもよい。例えば、認証装置１８に検索方法を選択するための選択ボタンを設け、ユーザが押下した選択ボタンに対応する検索方法をプリントサーバ１２が行なうように、認証装置１８からプリントサーバ１２に通知する。
【００９９】
また、上記実施の形態では、表示部５８を有するプリンタ１６を例に挙げて説明したが、表示部５８の無いプリンタ１６であってもよい。要はネットワーク２０に接続可能なプリンタであれば、高機能なプリンタであっても、低機能で旧式なプリンタであってもよいし、プリンタに何らかの特別な機能を組み込む必要もない。
【０１００】
また、上記実施の形態では、プリンタ１６と認証装置１８とを別個独立の装置としてネットワーク２０に接続する例について説明したが、これに限定されず、例えば、プリンタ１６と認証装置１８とが一体の装置として構成されていてもよい。
【０１０１】
また、上記では認証装置１８のカード検知部４２でＩＣカード５０を読み取ってユーザＩＤを入力する例について説明したが、ユーザ自身が手入力でユーザＩＤを入力する構成としてもよい。
【０１０２】
また、上記では、認証装置１８でカード検知部４２が読み取ったユーザＩＤをそのまま認証データに含めてプリントサーバ１２に送信する例について説明したが、これに限定されず、例えば、以下のような印刷システムとしてもよい。まず、ユーザ毎にユーザＩＤとは別の登録番号を付与して、該ユーザＩＤと該登録番号とを対応付けてネットワーク２０に接続された認証サーバ等に登録しておき、ＩＣカード５０には該登録番号を記録しておく。そして、ユーザがプリンタ１６で印刷する場合には、認証装置１８にＩＣカード５０から登録番号を読み取らせ、認証装置１８が該登録番号を認証サーバに通知して該登録番号に対応するユーザＩＤを問い合わせ、認証サーバから取得したユーザＩＤを含めて認証データを生成してプリントサーバ１２に送信する。よりセキュリティレベルの高い印刷システムになる。
【０１０３】
［第２の実施の形態］
第１の実施の形態では、認証装置１８の接続先選択部４４に複数のボタンを設け、プリントサーバ１２の接続先を切り替える例について説明したが、本実施の形態では、接続先を切り替えるための機構（接続先選択部４４）を有さない認証装置を用いた印刷システムについて説明する。
【０１０４】
図１０は、本実施の形態に係る印刷システム８２の概略構成図である。
【０１０５】
この印刷システム８２は、プリントサーバ１２、クライアントＰＣ１４、プリンタ１６、及び３台の認証装置８４ａ、８４ｂ、８４ｃが各々ＬＡＮ等のネットワーク２０に接続されて構成されている。
【０１０６】
ここで、図１０に示す符号と、図１に示す符号が同一の構成要素は、それぞれ、同一の機能を有する構成要素を意味するため説明を省略する。
【０１０７】
３台の認証装置８４ａ、８４ｂ、８４ｃは、対応する同一のプリンタ１６近傍に設置されている。３台の認証装置８４ａ、８４ｂ、８４ｃは、それぞれ第１の実施の形態で説明した３つの印刷区分「通常印刷」、「優先印刷」、及び「秘密印刷」のいずれかに対応しており、ユーザは、希望の印刷区分に応じて、ＩＣカード５０を読み取らせる認証装置を選択して利用する。
【０１０８】
図１１は、認証装置８４ａ、８４ｂ、８４ｃの機能的な構成を示すブロック図である。認証装置８４ａ、８４ｂ、８４ｃは同一構成であり、認証装置８４ａ、８４ｂ、８４ｃを区別しないで説明する場合には、末尾の符号を省略して単に認証装置８４と呼称する。また、ここで、図１１に示す符号と、図３に示す符号が同一の構成要素は、それぞれ、同一の機能を有する構成要素を意味するため説明を省略する。
【０１０９】
本実施の形態の認証装置８４は、カード検知部４２、送信情報生成部８６、及び通信部４８を備えている。
【０１１０】
送信情報生成部８６は、カード検知部４２からユーザＩＤが入力されると、プリントサーバ１２に対する送信データを生成する。具体的には、カード検知部４２で読み取られたユーザＩＤの情報及び、印刷ジョブの送信先情報を含む送信データを生成する。更に、送信情報生成部８６は、該送信データのヘッダに、予め自装置のメモリ（不図示）に登録され設定されているプリントサーバ１２の接続先（ＵＲＬ）を送信先アドレスとして付加する。本実施の形態では、認証装置８４ａの接続先は、「ＵＲＬ１」が設定され、認証装置８４ｂの接続先は、「ＵＲＬ２」が設定され、認証装置８４ｃの接続先は、「ＵＲＬ３」が設定されているものとする。すなわち、各認証装置８４の接続先は互いに異なり且つ固定である。
【０１１１】
なお、接続先以外のデータは各認証装置８４で同様に生成されるため、３つの認証装置８４で生成される認証データは、そのヘッダの送信先アドレス（接続先ＵＲＬ）のみが異なるものとなる。
【０１１２】
その他、印刷ジョブをクライアントＰＣ１４で生成してプリントサーバ１２に送信する処理、印刷ジョブを受信したプリントサーバ１２が印刷ジョブを格納する格納処理、及び認証装置８４で生成した認証データを受信した後にプリントサーバ１２が行なう印刷ジョブの検索・送信処理は、第１の実施の形態と同様であるため、ここでは説明を省略する。
【０１１３】
［第３の実施の形態］
本実施の形態では、複数のプリンタを異なる場所に設置し、各プリンタ毎に第２の実施の形態で用いた認証装置８４と同一構成の認証装置を設けた印刷システムについて説明する。
【０１１４】
図１２は、本実施の形態に係る印刷システム９０の概略構成図である。
【０１１５】
この印刷システム９０は、プリントサーバ１２ａ、クライアントＰＣ１４、第１のエリアに設置されたプリンタ１６ａ、第２のエリアに設置されたプリンタ１６ｂ、及び２台のプリンタ１６ａ、１６ｂに対応して設けられた認証装置９２ａ、９２ｂが各々ＬＡＮ等のネットワーク２０に接続されて構成されている。ここで、図１２に示す符号と、図１に示す符号が同一の構成要素は、それぞれ、同一の機能を有する構成要素を意味するため説明を省略する。なお、プリンタ１６ａ、１６ｂは、第１の実施の形態のプリンタ１６と同一構成であるが、各々設置場所が異なるため、末尾に符号を付して区別した。
【０１１６】
以下、本実施の形態において、第１，第２の実施の形態と異なる構成或いは機能について詳細に説明する。
【０１１７】
第１の実施の形態のプリントサーバ１２には、３つの処理部２４が設けられていたが、本実施の形態のプリントサーバ１２ａには、２つの処理部が設けられているものとする。本実施の形態では、予め２つの処理部２４の一方の処理部２４の接続先を「ＵＲＬ１」、他方の処理部２４の接続先を「ＵＲＬ２」に設定しておく。また、検索キーの作成方法（ユーザＩＤに付加する文字列）も第１の実施の形態とは異なるため、本実施の形態のプリントサーバについては、第１の実施の形態のプリントサーバ１２の符号の末尾にａを付して区別して説明するが、これ以外の点では、第１の実施の形態の図５と同一構成であるため、本実施の形態におけるプリントサーバ１２ａの構成図の図示は省略する。
【０１１８】
認証装置９２ａは、プリンタ１６ａの近傍に設置されている。認証装置９２ａの構成は、第２の実施の形態の認証装置８４と同一である。認証装置９２ａのプリントサーバ１２ａに対する接続先は「ＵＲＬ１」に設定されている。
【０１１９】
認証装置９２ｂは、プリンタ１６ｂの近傍に設置されている。認証装置９２ｂの構成は、第２の実施の形態の認証装置８４と同一である。認証装置９２ｂのプリントサーバ１２ａに対する接続先は「ＵＲＬ２」に設定されている。
【０１２０】
２つの認証装置９２ａ、９２ｂは、第２の実施の形態と同様に送信情報生成部４６が認証データを生成して送信する。本実施の形態では、使用するプリンタが複数台あるため、認証データには、必ず印刷ジョブの送信先情報（対応するプリンタ１６ａ、またはプリンタ１６ｂのアドレス或いは識別番号）を含める。
【０１２１】
クライアントＰＣ１４から印刷ジョブを生成して送信する際、第１の部屋のプリンタ１６ａで印刷したい場合には、印刷ジョブのジョブオーナ名が、例えばユーザＩＤに「room1」なる文字列が付加された文字列となるように印刷ジョブを生成し、第２の部屋のプリンタ１６ｂで印刷したい場合には、印刷ジョブのジョブオーナ名が、例えばユーザＩＤに「room2」なる文字列が付加された文字列となるように印刷ジョブを生成する。
【０１２２】
このように生成され送信された印刷ジョブは、プリントサーバ１２ａのジョブ格納部２８に保持される。
【０１２３】
プリントサーバ１２ａにおいて、接続先が「ＵＲＬ１」に設定された処理部２４では、認証装置９２ａから送信された認証データに含まれるユーザＩＤに「room1」なる文字列が付加された検索キーを生成してジョブ管理部２６に出力する。また、接続先が「ＵＲＬ２」に設定された処理部２４では、認証装置９２ｂから送信された認証データに含まれるユーザＩＤに「room2」なる文字列が付加された検索キーを生成してジョブ管理部２６に出力する。
【０１２４】
プリントサーバ１２ａは、第１の実施の形態の図９のフローチャートで説明したように、認証データを受信すると、該認証データのヘッダを参照して、接続先ＵＲＬを確認し、該当の処理部２４に該認証データに含まれるユーザＩＤを出力する。ユーザＩＤを受け取った処理部２４は、上記のように検索キーを生成して、ジョブ管理部２６に出力する。ジョブ管理部２６は、該検索キーに一致するジョブオーナ名の印刷ジョブを読出す。ジョブ送信制御部３０は、通信部２２を介して、認証データに含まれる印刷ジョブの送信先情報が示す送信先のプリンタに対して印刷ジョブを送信する。
【０１２５】
本実施の形態の印刷システム９０は、以下のような場合に適用してもよい。例えば、部外者が出入りする可能性のある場所に設置されたプリンタと、部内者のみが出入りする場所に設置されたプリンタとで、印刷対象を切り替えたい場合や、複数テナントが存在するフロアに各テナント毎にプリンタを設置し、各テナントがプリントサーバを共有して用いる場合であって、各テナント毎のプリンタで印刷する印刷対象を切り替えたい場合、或いは、印刷ジョブの印刷結果が、印刷排出部に印刷物が放置されたとしても持ち去られるおそれのない場所に設置されたプリンタと、持ち去られるおそれのある場所に設置されたプリンタとで、印刷対象を切り替えたい場合等が考えられる。
【図面の簡単な説明】
【０１２６】
【図１】第１の実施の形態に係る印刷システムの概略構成図である。
【図２】クライアントＰＣの機能的な構成を示すブロック図である。
【図３】認証装置の機能的な構成を示すブロック図である。
【図４】プリンタの機能的な構成を示すブロック図である。
【図５】プリントサーバの機能的な構成を示すブロック図である。
【図６】ジョブ格納部における印刷ジョブの格納状態を示す概念図である。
【図７】プリンタドライバの設定画面の一例を示す図である。
【図８】プリンタ設定フォルダに生成されたプリンタドライバの３つのアイコンの具体例を示す図である。
【図９】データを受信したプリントサーバが実行する処理の流れを示すフローチャートである。
【図１０】第２の実施の形態に係る印刷システムの概略構成図である。
【図１１】第２、３の実施の形態に係る認証装置の機能的な構成を示すブロック図である。
【図１２】第３の実施の形態に係る印刷システムの概略構成図である。
【符号の説明】
【０１２７】
１０  印刷システム
１２、１２ａ  プリントサーバ
１４  クライアントＰＣ
１６、１６ａ、１６ｂ  プリンタ
１８  認証装置
２０  ネットワーク
２２  通信部
２４ａ  第１処理部
２４ｂ  第２処理部
２４ｃ  第３処理部
２６  ジョブ管理部
２８  ジョブ格納部
３０  制御部
３２  印刷データ生成部
３４  印刷制御部
３６  通信部
３８  表示部
４０  入力部
４２  カード検知部
４４  接続先選択部
４４ａ  通常印刷ボタン
４４ｃ  秘密印刷ボタン
４４ｂ  優先印刷ボタン
４６  送信情報生成部
４８  通信部
５２  印刷処理部
５４  制御部
５６  通信部
８２  印刷システム
８４、８４ａ、８４ｂ  認証装置
８６  送信情報生成部
９０  印刷システム
９２ａ、９２ｂ  認証装置
【図１】
2009070182.tif 000003
【図２】
2009070182.tif 000004
【図３】
2009070182.tif 000005
【図４】
2009070182.tif 000006
【図５】
2009070182.tif 000007
【図６】
2009070182.tif 000008
【図７】
2009070182.tif 000009
【図８】
2009070182.tif 000010
【図９】
2009070182.tif 000011
【図１０】
2009070182.tif 000012
【図１１】
2009070182.tif 000013
【図１２】
2009070182.tif 000014